(57)【要約】【課題】組み立ておよび収納が容易な排紙受け部２０１を提供する。【解決手段】インクジェット式記録装置１００に装着して、排出された記録済み被記録媒体を受け止める排紙受け部２０１であって、排出経路面に対して一方の側から他方の側まで延在して、記録済み被記録媒体の幅方向について記録済み被記録媒体の通過経路を挟んで配置され、記録部に対する相対位置が固定された１対のアーム部材２２０と、排出経路面の一方の側において支持部材により一端を支持され、排出経路面に対して一方の側から他方の側まで延在して、記録済み被記録媒体の排出方向に沿って下流側において下方に弛む長さを有する柔軟な帯状部材２５０と、記録部１４０に対する相対位置が固定され、帯状部材２５０の他端を支持して、且つ、帯状部材２５０の一端がアーム部材２２０による支持から開放された場合に帯状部材２５０を巻き取る巻取り部２３０とを備える。【選択図】図１０
2009023167.tif 000002
【特許請求の範囲】
【請求項１】
巻き重ねた長尺の被記録媒体を引き出す給送部と、
前記給送部から供給された被記録媒体に向かって吐出したインクを付着させて当該被記録媒体に画像を形成する記録部と、
前記記録部において画像を形成された後に排出された記録済み被記録媒体を受け止める排紙受け部と
を備え、
前記排紙受け部は、
前記記録済み被記録媒体を含む排出経路面に対して一方の側から他方の側まで延在し、前記記録済み被記録媒体の幅方向について前記記録済み被記録媒体の通過経路を挟んで配置され、前記記録部に対する相対位置が固定された１対の支持部材と、
前記支持部材により一端を支持され、前記排出経路面に対して一方の側から他方の側まで延在し、前記記録済み被記録媒体の排出方向に沿って下流側、且つ下方に弛む長さを有する柔軟な帯状部材と、
前記記録部に対する相対位置が固定され、前記帯状部材の他端を支持し、且つ、前記帯状部材の前記一端が前記支持部材による支持から開放された場合に前記帯状部材を巻き取る巻取り部と
を含む記録装置。
【請求項２】
前記巻取り部は、前記帯状部材を巻き取る方向に付勢された巻取りロールと、前記帯状部材を引き出した状態を保持する保持機構とを有する請求項１に記載の記録装置。
【請求項３】
前記巻取り部は、巻き取った前記帯状部材と共に取り外すことができる請求項１に記載の記録装置。
【請求項４】
前記支持部材は、前記記録装置に対して伸縮自在に装着される請求項１に記載の記録装置。
【請求項５】
前記巻取り部の下部に前記帯状部材の一端を仮保持する仮保持部を有する請求項１に記載の記録装置。
【請求項６】
巻き重ねた長尺の被搬送媒体を引き出す給送部を備えた被搬送媒体搬送装置に装着して、前記被搬送媒体搬送装置より排出された被搬送媒体を受け止める排紙受け装置であって、
前記被搬送媒体を含む排出経路面に対して一方の側から他方の側まで延在し、前記被搬送媒体の幅方向について前記被搬送媒体の通過経路を挟んで配置され、前記被搬送媒体搬送装置に対する相対位置が固定された１対の支持部材と、
前記支持部材により一端を支持され、前記排出経路面に対して一方の側から他方の側まで延在し、前記被搬送媒体の排出方向に沿って下流側、且つ下方に弛む長さを有する柔軟な帯状部材と、
前記被搬送媒体搬送装置に対する相対位置が固定され、前記帯状部材の他端を支持し、且つ、前記帯状部材の前記一端が前記支持部材による支持から開放された場合に前記帯状部材を巻き取る巻取り部と
を備える排紙受け装置。
【請求項７】
巻き重ねた長尺の被噴射媒体を引き出す給送部と、
前記給送部から供給された被噴射媒体に向かって噴射した液体を付着させる液体噴射部と、
前記液体噴射部において液体を噴射された後に排出された被噴射媒体を受け止める排紙受け部と
を備え、
前記排紙受け部は、
前記被噴射媒体を含む排出経路面に対して一方の側から他方の側まで延在し、前記被噴射媒体の幅方向について前記被噴射媒体の通過経路を挟んで配置され、前記液体噴射部に対する相対位置が固定された１対の支持部材と、
前記支持部材により一端を支持され、前記排出経路面に対して一方の側から他方の側まで延在し、前記被噴射媒体の排出方向に沿って下流側、且つ下方に弛む長さを有する柔軟な帯状部材と、
前記液体噴射部に対する相対位置が固定され、前記帯状部材の他端を支持し、且つ、前記帯状部材の前記一端が前記支持部材による支持から開放された場合に前記帯状部材を巻き取る巻取り部と
を含む液体噴射装置。
【発明の詳細な説明】
【技術分野】
【０００１】
本発明は、記録装置、排紙受け装置および液体噴射装置に関する。より詳細には、設営および収納が容易な紙受け部として使用できる排紙受け装置と、それを備えた記録装置および液体噴射装置に関する。
【背景技術】
【０００２】
微細なノズルを備えた記録ヘッドからインク等の液体を吐出して被記録媒体に付着させるインクジェット式記録装置がある。この種の装置は、記録ヘッドを所定の主走査方向に往復させる一方、主走査方向に対して交差する搬送方向に被記録媒体を移動させる搬送部を備え、主走査および搬送を組み合わせることにより被記録媒体上の任意の領域に液体を付着させて画像を形成する。
【０００３】
このような構造を有する記録装置において、主走査方向の往復移動範囲は装置の仕様により決定され、１ｍを越える主走査幅を有してポスター等の大型の画像を記録できるものもある。一方、搬送方向については被記録媒体の長さは制限されない。そこで、長尺の被記録媒体を巻き重ねたロールを装填して、横断幕、懸垂幕等に長い画像を形成する記録装置もある。
【０００４】
記録装置において画像を記録された被記録媒体は記録装置の外部に排出される。排出された被記録媒体は成果物として回収されるので、記録装置の排出側には、形成された画像を損傷あるいは汚損することなく保持する排紙受け部が設けられる。
【０００５】
下記の特許文献１には、排紙を受ける状態と排紙経路から退避させる状態とを切り替えレバーにより切り替えることができる排紙スタック部を備える大型プリンタが記載される。排紙スタック部は、柔軟なスタック布と、その端部を支持する複数のレバーを含み、レバーを変位させることによりスタック布を展開または収納する。これにより、印刷物の種類等に応じて、排紙スタック部を適切に形態に変化させることができる。
【０００６】
また、下記の特許文献２には、いずれもが角度を変えられる複数のレバーによりシート状部材を支持することにより、更に柔軟な使用ができる排紙受け装置が記載される。また更に、下記の特許文献３には、脱着自在なアーム部により布材を支持する構造とすることにより、記録装置自体よりも大きなロール紙排紙スタッカを形成できることが記載される。
【特許文献１】特開２０００−０７１５３５号公報
【特許文献２】特開２００１−１３０８１４号公報
【特許文献３】特開２００６−３１５８６７号公報
【発明の開示】
【発明が解決しようとする課題】
【０００７】
しかしながら、上記のような種々の構造を有する排紙受け部は、いずれも使用しない状態でもスペースをとる。また、畳んだ状態でも排紙に接する面が露出するので、埃等が付着した場合は、再使用した場合に受けた被記録媒体を汚損する場合がある。更に、部品点数が多く、組み立て工数も多いので、記録装置に対する脱着が容易ではない等といった問題点があった。
【課題を解決するための手段】
【０００８】
そこで、上記課題を解決することを目的に、本発明の第１の形態として、巻き重ねた長尺の被記録媒体を引き出す給送部と、給送部から供給された被記録媒体に向かって吐出したインクを付着させて当該被記録媒体に画像を形成する記録部と、記録部において画像を形成された後に排出された記録済み被記録媒体を受け止める排紙受け部とを備え、排紙受け部は、記録済み被記録媒体を含む排出経路面に対して一方の側から他方の側まで延在し、記録済み被記録媒体の幅方向について記録済み被記録媒体の通過経路を挟んで配置され、記録部に対する相対位置が固定された１対の支持部材と、支持部材により一端を支持され、排出経路面に対して一方の側から他方の側まで延在し、記録済み被記録媒体の排出方向に沿って下流側、且つ下方に弛む長さを有する柔軟な帯状部材と、記録部に対する相対位置が固定され、帯状部材の他端を支持し、且つ、帯状部材の一端が支持部材による支持から開放された場合に帯状部材を巻き取る巻取り部とを含む記録装置が提供される。これにより、使用する場合は巻取り部から引き出した帯状部材を支持部材の先端に保持させることにより排紙受け部が容易に形成される。また、使用しない場合は帯状部材を巻取り機に巻き取らせることにより、容易に収納できる。
【０００９】
また、上記記録装置において、巻取り部は、帯状部材を巻き取る方向に付勢された巻取りロールと、帯状部材を引き出した状態を保持する保持機構とを有してもよい。これにより、簡単な操作で帯状部材を収納できる。また、使用する場合は、単純に引き出すことにより所与の長さで帯状部材を固定できる。
【００１０】
更に、上記記録装置において、巻取り部は、巻き取った帯状部材と共に取り外すことができてもよい。これにより、使用しない場合には記録装置周りに広いスペースをつくることができる。また、帯状部材を巻き取った巻取り部を他の記録装置に装着して使い回すこともできる。
【００１１】
また更に、上記記録装置において、支持部材は、記録装置に対して伸縮自在に装着されてもよい。これにより、使用しない場合には支持部材が邪魔になることがない。また、使用する場合は、排紙受け部を迅速に設営できる。
【００１２】
また更に、上記記録装置において、巻取り部の下部に帯状部材の一端を仮保持する仮保持部を有してもよい。これにより、巻取り部から帯状部材を引き出す場合も、帯状部材を巻取り部に巻き取らせる場合も、帯状部材の取り扱いが操作が容易になる。
【００１３】
また、本発明の第２の形態として、巻き重ねた長尺の被搬送媒体を引き出す給送部を備えた被搬送媒体搬送装置に装着して、被搬送媒体搬送装置より排出された被搬送媒体を受け止める排紙受け装置であって、被搬送媒体を含む排出経路面に対して一方の側から他方の側まで延在し、被搬送媒体の幅方向について被搬送媒体の通過経路を挟んで配置され、被搬送媒体搬送装置に対する相対位置が固定された１対の支持部材と、支持部材により一端を支持され、排出経路面に対して一方の側から他方の側まで延在し、被搬送媒体の排出方向に沿って下流側、且つ下方に弛む長さを有する柔軟な帯状部材と、被搬送媒体搬送装置に対する相対位置が固定され、帯状部材の他端を支持し、且つ、帯状部材の一端が支持部材による支持から開放された場合に帯状部材を巻き取る巻取り部とを備える排紙受け装置が提供される。これにより、紙受け部材を部品として供給することにより、既存の記録装置においても上記の効果を享受できる。
【００１４】
更に、本発明の第３の形態として、巻き重ねた長尺の被噴射媒体を引き出す給送部と、給送部から供給された被噴射媒体に向かって噴射した液体を付着させる液体噴射部と、液体噴射部において液体を噴射された後に排出された被噴射媒体を受け止める排紙受け部とを備え、排紙受け部は、被噴射媒体を含む排出経路面に対して一方の側から他方の側まで延在し、被噴射媒体の幅方向について被噴射媒体の通過経路を挟んで配置され、液体噴射部に対する相対位置が固定された１対の支持部材と、支持部材により一端を支持され、排出経路面に対して一方の側から他方の側まで延在し、被噴射媒体の排出方向に沿って下流側、且つ下方に弛む長さを有する柔軟な帯状部材と、液体噴射部に対する相対位置が固定され、帯状部材の他端を支持し、且つ、帯状部材の一端が支持部材による支持から開放された場合に帯状部材を巻き取る巻取り部とを含む液体噴射装置が提供される。これにより、液体噴射装置においても上記の効果を享受できる。
【００１５】
なお、上記の発明の概要は、本発明の必要な特徴の全てを列挙したものではない。また、これらの特徴群のサブコンビネーションも発明となり得る。
【発明を実施するための最良の形態】
【００１６】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【実施例１】
【００１７】
図１は、実施の形態に係るインクジェット式記録装置１００の斜視図である。同図に示すように、このインクジェット式記録装置１００は、長手方向が水平に配置された記録部１４０と、記録部１４０の長手方向端部に装着された筐体１１０と、記録部１４０の上側に装着された装填部１３０と、記録部１４０および筐体１１０を下方から支持する脚部１７０とを備える。
【００１８】
装填部１３０には、巻き重ねた被記録媒体１９１を含むロール組立体１９０（図２参照）が装填されるが、この図ではロール組立体１９０はロールカバー１３２に覆われる。記録部１４０では、トップカバー１４２およびフロントカバー１４４によりその内部機構が覆われる。記録部１４０の内部には後述する記録ヘッド１４３が配置され、装填部１３０から記録部１４０に給送された被記録媒体１９１に対してインクが吐出される。装填部１３０から給送されて記録部１４０において画像を形成された被記録媒体１９１は、記録部１４０の下部に位置する排出部１６０に排出される。
【００１９】
脚部１７０は、記録部１４０および筐体１１０を下方から支持する一対の支柱部１７２と、支柱部の下端に装着されて前後に延在して、前後方向の安定を図る足部１７４と、支柱部１７２を相互に連結する横木部１７８とを含む。また、足部１７４の下面には、インクジェット式記録装置１００の移動を容易にするキャスタ１７６と、稼働時のインクジェット式記録装置１００を安定させるジャッキ１７７とが装着される。これにより、装填部１３０にロール組立体１９０を装填する作業を楽にすると共に、排出部１６０を通過した被記録媒体１９１の排出スペースが得られる。
【００２０】
筐体１１０は、記録部１４０から退避した記録ヘッド１４３が待機するホームポジションのスペースを形成すると共に、その下部に、カートリッジホルダ１２０を有する。カートリッジホルダ１２０には、記録ヘッド１４３に供給するインクを収容したインクカートリッジ１４７が装着される。また、筐体１１０の上面には、操作パネル１８０が配置される。操作パネル１８０は、ユーザが操作するボタン、スイッチ類の他、インクジェット式記録装置１００の動作状態を示す表示部等も含む。
【００２１】
図２は、インクジェット式記録装置における被記録媒体１９１の給送経路２００を示す模式的な断面図である。同図に示すように、給送経路２００は、装填部１３０内のロール組立体１９０から、記録部１４０内を経て排出部１６０に至る経路を含む。
【００２２】
装填部１３０においては、ロールカバー１３２の内部にロール組立体１９０が装填される。ロール組立体１９０は、芯となる紙管１９２の外面に長尺の連続した被記録媒体１９１を巻き重ねて形成される。これにより、大判の被記録媒体１９１を取り扱い易くしている。更に、紙管１９２の内側には金属製のスピンドル部材１９４が挿通され、スピンドル部材１９４の両端が装填部１３０のスピンドル支持部１３４に支持される。なお、被記録媒体１９１としては、紙の他、樹脂フィルム、テキスタイル製品等が用いられる場合もある。
【００２３】
記録部１４０には、被記録媒体１９１を給送する給送部１１１、被記録媒体１９１にインクを吐出する記録ヘッド１４３、記録ヘッド１４３を搭載したキャリッジ１４１、被記録媒体１９１を支持するプラテンプレート１５２等が配置される。給送部１１１は、図示していない給送モータにより回転駆動される給送駆動ローラ１１２と、給送駆動ローラ１１２に当接して連れ回される給送従動ローラ１１４とを含む。被記録媒体１９１は、給送駆動ローラ１１２および給送従動ローラ１１４の間に挟まれ、給送従動ローラ１１４により給送駆動ローラ１１２に押し付けられることにより、給送駆動ローラ１１２の回転に従ってロール組立体１９０から引き出される。
【００２４】
ロール組立体１９０から引き出されて給送部１１１を通過した被記録媒体１９１は、記録ヘッド１４３に対向する位置を通過する。このとき、被記録媒体１９１は、記録ヘッド１４３のノズル面に対向して配置されるプラテンプレート１５２により支持される。これにより、プラテンプレート１５２上の被記録媒体１９１は、記録ヘッド１４３に対して一定の間隔をおいて位置決めされる。
【００２５】
なお、プラテンプレート１５２の後方（図上右側）、つまり、被記録媒体を支持する面と反対側には、図示していないファンユニットが配置され、図中に矢印Ａにより示すように、プラテンプレート１５２から吸引した空気を排出ダクト１５９から外部へ排出する。これにより、プラテンプレート１５２の表面に負圧が形成されて、被記録媒体１９１が吸いつけられる。
【００２６】
記録ヘッド１４３はキャリッジ１４１に搭載され、キャリッジ１４１はガイドレール１４５から懸架される。ガイドレール１４５は、図２の紙面に垂直に、記録部１４０の略全幅にわたって延在して、キャリッジ１４１の往復移動を案内する。なお、記録ヘッド１４３が吐出するインクは、図示していないパイプを通じてインクカートリッジ１４７から供給される。従って、キャリッジ１４１にはインクカートリッジ１４７は搭載されず、キャリッジ１４１および記録ヘッド１４３の組立体が軽量になる。
【００２７】
図３は、画像を記録された被記録媒体１９１を巻き取る巻取り装置３００を装着された脚部１７０を示す斜視図である。前記のように、装填部１３０には長尺の被記録媒体１９１を巻いたロール組立体１９０が装填される。ロール組立体１９０から引き出された被記録媒体１９１を切断することなく画像を形成し続けた場合、排出部１６０に出力される被記録媒体１９１もまた長尺になる。従って、巻取り装置３００により巻き取ることにより取り扱いが容易になる。
【００２８】
同図に示すように、巻取り装置３００は、支柱部１７２に対してブラケット３３２により固定された巻取り駆動部３３０と、横木部１７８に掛けたハンガ３４４に対してブラケット３４２を介して固定された巻取り従動部３４０とを含む。巻取り駆動部３３０および巻取り従動部３４０は、それぞれ巻取りフランジ３２０を備える。また、巻取り駆動部３３０および巻取り従動部３４０の間には、端部を巻取りフランジ３２０に支持された巻取り紙管３１０が掛けわたされる。
【００２９】
ここで、巻取り駆動部３３０の巻取りフランジ３２０は、巻取り駆動部３３０により回転駆動される。一方、巻取り従動部３４０の巻取りフランジ３２０は、巻取り従動部３４０に回転自在に軸支されるが、自ら回転することはない。また、巻取り従動部３４０を支持するハンガ３４４は、横木部１７８に沿って水平に移動させることができる。ただし、ロックレバー３４６を操作することにより、横木部１７８上の特定の位置に固定することもできる。これにより、後述するように、巻取り紙管３１０の抜き取り、及び装着が容易となり、また、種々のを有する被記録媒体（巻取り紙菅）にも適用できる。
【００３０】
上記のような巻取り装置３００は、更に、脚部１７０上の排出部１６０から排出された被記録媒体１９１の先端が床に接近したことを検知するセンサ（不図示）も備える。これにより、排出部１６０から排出された被記録媒体１９１が一定以上の長さになると巻取り駆動部３３０を動作させて、巻取り紙管３１０に被記録媒体１９１を巻き取る。また、巻取り動作を終えた場合は、ロックレバー３４６を操作して横木部１７８に対する固定を解いた後、ハンガ３４４を移動させて巻取り紙管３１０から巻取りフランジ３２０を抜く。これにより、画像を形成された被記録媒体１９１を巻取り紙管３１０ごと取り外すことができる。
【００３１】
なお、図３において、一対の支柱部１７２において互いに対向する面の上部に設けられたアームブラケット２１０は、アーム部材２２０を水平に進退自在に支持する。アーム部材２２０は、その先端にフック部２２２を有して、後述する排紙受け部２０１の一部をなす。また、支柱部１７２の上端に形成されたブラケット１７１は、インクジェット式記録装置１００を固定する場合に利用される。
【００３２】
上記のように、被記録媒体１９１を切断することなく連続して排出する場合は、巻取り装置３００を好適に使用できる。しかしながら、インクジェット式記録装置１００から排出された被記録媒体１９１を切断して単票として取り扱う場合は、画像を形成した後に切り取られた被記録媒体１９１を１枚ずつ受け止める排紙受け部２０１（図１０を参照）を使用することが好ましい。以下、インクジェット式記録装置１００において、上記のような巻取り装置３００を排紙受け部２０１に換装する手順を説明する。
【００３３】
図４は、換装手順の最初の段階として、巻取り装置３００から巻取り紙管３１０を外した状態を示す斜視図である。同図に示すように、ロックレバー３４６を回転させて横木部１７８に対する固定を解除すると、ハンガ３４４を横木部１７８に沿って移動させることができる。これにより巻取り従動部３４０を移動させることにより一対の巻取りフランジ３２０の間隔を拡げて、巻取り紙管３１０（図中に点線で示す）を抜き取ることができる。また、この段階で巻取り従動部３４０が側方に退避しているので、巻取り駆動部３３０および巻取り従動部３４０の間には、巻取りフランジ３２０に触れることなく被記録媒体１９１を通過させ得る間隔が形成される。
【００３４】
図５は、脚部１７０に対する排紙受け部２０１の装着構造を示す部分斜視図である。なお、装着構造が明瞭になるように、この図では、脚部１７０の片側の支柱部１７２について拡大して示した。しかしながら、後述する巻取り部２３０および芯棒２４０は、一対の支柱部１７２の内側の全幅にわたって存在し、もう一方の支柱部１７２においても、対称的に同じ構造が形成される。
【００３５】
同図に示すように、支柱部１７２の内側には、インクジェット式記録装置１００の前後方向に延在する仮置き部材１７３が装着される。仮置き部材１７３の前側の端部は、支柱部１７２の前端近傍に位置する。一方、仮置き部材１７３の後側の端部は、支柱部１７２よりも後方まで延長される。また、仮置き部材１７３の下端には、反対側の支柱部１７２の方に向かって延びる水平面を形成する仮置き部１７９が、その全長にわたって形成される。
【００３６】
更に、仮置き部材１７３の長手方向の中程には段差部１７５が形成される。これにより、対向する支柱部１７２に装着された仮置き部材１７３との間の間隔は、段差部１７５よりも前側では広く、段差部１７５よりも後側では狭くなる。
【００３７】
上記のような仮置き部材１７３は、その後端において巻取り部２３０の一端を支持し、仮置き部１７９の上面において芯棒２４０の一端を支持する。また、巻取り部２３０は段差部１７５よりも後側において支持される一方、芯棒２４０は段差部１７５よりも前側において支持される。従って、芯棒２４０は、巻取り部２３０よりも段差部１７５に相当する分長く、仮置き部１７９上において、段差部１７５よりも後方には移動しない。
【００３８】
更に、巻取り部２３０および芯棒２４０は、柔軟で長尺なひとつの帯状部材２５０（点線により示す）の各端部に装着される。巻取り部２３０が帯状部材２５０を巻き取った場合、芯棒２４０は巻取り部２３０に接近するが、やがて、段差部１７５に係止され、帯状部材２５０の巻取りも段差部１７５で止まる。
【００３９】
以下、図６から図９は、脚部１７０を含むインクジェット式記録装置１００から巻取り装置３００を取り除いた状態で示す側面図により、排紙受け部２０１の以降の組み立て手順を、段階を追って示す。これらの図において、他の図と共通の構成要素には同じ参照番号を付して重複する説明を省く。
【００４０】
まず、図６に示すように、アーム部材２２０は、当初はカートリッジホルダ１２０の下方に位置する。また、脚部１７０の横木部の後方には、巻取り部２３０に巻き取られた帯状部材２５０が装着される。帯状部材２５０は、布等の柔軟な材料により形成され、被記録媒体１９１と同等か、それよりも広い幅を有する。また、帯状部材２５０の先端は後述するように筒状になり、帯状部材２５０の幅よりも長い芯棒２４０が挿通される。
【００４１】
なお、巻取り部２３０は、図上で反時計回りに付勢されて、帯状部材２５０を巻き付けている。また、巻取り部、芯棒２４０および帯状部材２５０は、一括して脚部１７０から取り外すことができる。一方、図示のように帯状部材２５０を巻取り部２３０に巻き取った状態では、被記録媒体１９１の排紙経路からはずれているので、脚部１７０に取り付けたままにしておくこともできる。
【００４２】
次に、図７に示すように、アーム部材２２０をアームブラケット２１０に沿って摺動させて、フック部２２２を前方に引き出す。これにより、フック部２２２は、カートリッジホルダ１２０および筐体１１０の前方（図上左側）まで移動する。
【００４３】
続いて、図８に示すように、芯棒２４０を引いて、巻取り部２３０から帯状部材２５０を前方に引き出す。巻取り部２３０は、帯状部材２５０が所定の長さまで引き出されるとその位置で制止され、その後に特定の操作を実行するまで帯状部材２５０を巻き取ることがない制止機構を備える。従って、引き出された帯状部材２５０は、芯棒２４０を引くことをやめてもその長さを維持する。
【００４４】
続いて、図９に示すように、芯棒２４０を、フック部２２２に掛ける。これにより、帯状部材２５０の先端は、カートリッジホルダ１２０および筐体１１０の前方に固定される。また、芯棒２４０および巻取り部２３０の間で帯状部材２５０は下方に弛む。
【００４５】
ここで、図２に示した被記録媒体１９１の給送経路２００を参照すると判るように、記録部１４０において画像を形成された被記録媒体１９１は、記録部１４０の下方前部に形成された排出部１６０から排出される。これに対して、帯状部材２５０は、排出部１６０の前後に延在すると共に、下方に弛んだ状態で固定される。従って、排出部１６０から排出された被記録媒体１９１は、帯状部材２５０の内側に保持される。
【００４６】
図１０は、組み立てられた排紙受け部２０１を装着された脚部１７０を、図３に対照して示す斜視図である。同図に示すように、排紙受け部２０１は、巻取り紙管３１０を取り除かれたあとのスペースに形成される。従って、巻取り装置３００の巻取り駆動部３３０および巻取り従動部３４０を残したまま、排紙受け部２０１に被記録媒体１９１を受けることができる。
【００４７】
なお、インクジェット式記録装置１００の記録部１４０または排出部１６０には、手動または自動で被記録媒体１９１を切断するカッタが設けられる。従って、記録部１４０において画像を記録された後の被記録媒体１９１を切断することにより、画像を形成された被記録媒体１９１を単票として排紙受け部２０１に受けることができる。
【００４８】
また、排紙受け部２０１を使用しない場合は、上記の組み立て手順を逆に実行すればよい。即ち、芯棒２４０をフック部２２２から取り外した後、芯棒２４０を巻取り部２３０から引き出すことにより、巻取り部２３０の巻取り機構を有効にして、帯状部材２５０を巻取り部２３０に巻き取らせる。
【００４９】
このとき、脚部１７０の内側、巻取り部２３０の下部に設けられた仮置き部１７９に芯棒２４０の左右端を置けば、仮置き部１７９に沿って芯棒２４０がガイドされ帯状部材２５０が巻取り部２３０に巻き取られる。これにより、芯棒２４０が完全に巻き取られるまで保持しなくてもよい。
【００５０】
芯棒２４０は帯状部材２５０が完全に巻き取られた後も、段差部１７５により、巻取り部２３０の前方で、仮置き部１７９上に停止する。続いて、アーム部材２２０をアームブラケット２１０に沿って押し込み、短縮させる。このような簡単な操作により、排紙受け部２０１は収納される。
【００５１】
続いて、巻取り紙管３１０を巻取りフランジ３２０に嵌め、巻取り従動部３４０を移動させた後、ロックレバー３４６を操作してハンガ３４４を固定する。これらの一連の操作により、連続した被記録媒体１９１を巻き取る巻取り装置３００を使用できる状態にすることができる。
【００５２】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれることが、特許請求の範囲の記載から明らかである。
【図面の簡単な説明】
【００５３】
【図１】実施の形態に係るインクジェット式記録装置１００の斜視図である。
【図２】インクジェット式記録装置１００における給送経路２００を示す図である。
【図３】巻取り装置３００を装着された脚部１７０を示す斜視図である。
【図４】巻取り装置３００から巻取り紙管３１０を外した状態を示す斜視図である。
【図５】脚部１７０に対する排紙受け部２０１の装着構造を示す斜視図である。
【図６】インクジェット式記録装置１００において排紙受け部２０１の組み立て手順のひとつを示す図である。
【図７】インクジェット式記録装置１００において排紙受け部２０１の次の組み立て手順を示す図である。
【図８】インクジェット式記録装置１００において排紙受け部２０１のまた次の組み立て手順を示す図である。
【図９】インクジェット式記録装置１００において排紙受け部２０１の更に次の組み立て手順を示す図である。
【図１０】組み立てられた排紙受け部２０１を装着された脚部１７０を示す斜視図である。
【符号の説明】
【００５４】
１００  インクジェット式記録装置、１１０  筐体、１１１  給送部、１１２  給送駆動ローラ、１１４  給送従動ローラ、１２０  カートリッジホルダ、１３０  装填部、１３２  ロールカバー、１３４  スピンドル支持部、１４０  記録部、１４１  キャリッジ、１４２  トップカバー、１４３  記録ヘッド、１４４  フロントカバー、１４５  ガイドレール、１４７  インクカートリッジ、１５２  プラテンプレート、１５９  排出ダクト、１６０  排出部、１７０  脚部、１７１、３３２、３４２  ブラケット、１７２  支柱部、１７３  仮置き部材、１７４  足部、１７５  段差部、１７６  キャスタ、１７７  ジャッキ、１７８  横木部、１７９  仮置き部、１９０  ロール組立体、１９１  被記録媒体、１９２  紙管、１９４  スピンドル部材、２００  給送経路、２０１  排紙受け部、２１０  アームブラケット、２２０  アーム部材、２２２  フック部、２２４  アーム部、２３０  巻取り部、２４０  芯棒、２５０  帯状部材、３００  巻取り装置、３１０  巻取り紙管、３２０  巻取りフランジ、３３０  巻取り駆動部、３４０  巻取り従動部、３４４  ハンガ、３４６  ロックレバー
【図１】
2009023167.tif 000003
【図２】
2009023167.tif 000004
【図３】
2009023167.tif 000005
【図４】
2009023167.tif 000006
【図５】
2009023167.tif 000007
【図６】
2009023167.tif 000008
【図７】
2009023167.tif 000009
【図８】
2009023167.tif 000010
【図９】
2009023167.tif 000011
【図１０】
2009023167.tif 000012